(57)【要約】  【課題】  操作入力器による各種操作がしやすく、また、操作入力器の収容スペースをコンパクトにして筐体サイズを小さくし、さらに、使用に際する動作をスムーズに行うこと。  【解決手段】  火災発生階の図面画像を表示する表示器が筐体内に設けられ、該筐体の表板に設けられた開口部を介して前記表示器が外部に露出する防災監視盤であって、前記表示器に表示される表示内容に対して所定の操作入力を行う操作入力器を収容する収容部と、該収容部の前面開口部を開閉自在に覆い、かつ、前傾させた時に、前記表板に対して略垂直状態で保持されるテーブルを、前記開口部内に位置する前記筐体内に設けた。  【選択図】  図４
2006053660.tif 000002
【特許請求の範囲】
【請求項１】
火災発生階の図面画像を表示する表示器が筐体内に設けられ、該筐体の表板に設けられた開口部を介して前記表示器が外部に露出する防災監視盤であって、
前記表示器に表示される表示内容に対して所定の操作入力を行う操作入力器を収容する収容部と、該収容部の前面開口部を開閉自在に覆い、かつ、前傾させた時に、前記表板に対して略垂直状態で保持されるテーブルを、前記開口部内に位置する前記筐体内に設けたことを特徴とする防災監視盤。
【請求項２】
前記操作入力器を、該操作入力器の一部が、前記テーブルが前記表板に対して略垂直状態であるときに前記テーブルから臨むように、前記収容部に傾斜状態で収納したことを特徴とする請求項１記載の防災監視盤。
【発明の詳細な説明】
【技術分野】
【０００１】
本発明は、火災信号等の防災情報を受けてＣＲＴ等の表示器上に火災発生階の図面画像等を表示する防災監視盤に関する。
【背景技術】
【０００２】
従来より、この種の防災監視盤は、火災信号等の防災情報を受けてＣＲＴ等の表示器上に火災発生階の図面画像等を表示するとともに、マウス、キーボード等の操作入力器により、表示器に表示される表示内容に対して所定の操作入力を行っている（例えば、特許文献１参照）。防災監視盤には、自立型と、デスク型との２種類があり、デスク型は、デスク上に表示器及び操作入力器を載置できるため、監視員は、監視や各種操作がし易い反面、広い設置スペースを必要とする。
【特許文献１】特開平１１−２５３７８号公報
【発明の開示】
【発明が解決しようとする課題】
【０００３】
自立型は、監視員は、操作入力器を手に持って操作入力を行わなければならず、各種操作がしにくいという問題があった。また、未使用時は、操作入力器を筐体内に設けるようにすると上記デスク型のような広い設置スペースは必要ないが、筐体サイズは操作入力器の収容スペース分だけ大きくなる。そのため、操作入力器の収容スペースをできる限りコンパクトにして、筐体サイズを小さくしたい。さらに、使用に際する動作をスムーズに行いたい。
【０００４】
本発明は、上記課題を解決するためになされたもので、操作入力器による各種操作がしやすく、また、操作入力器の収容スペースをコンパクトにして筐体サイズを小さくし、さらに、使用に際する動作をスムーズに行うことにある。
【課題を解決するための手段】
【０００５】
本発明は、火災発生階の図面画像を表示する表示器が筐体内に設けられ、該筐体の表板に設けられた開口部を介して前記表示器が外部に露出する防災監視盤であって、前記表示器に表示される表示内容に対して所定の操作入力を行う操作入力器を収容する収容部と、該収容部の前面開口部を開閉自在に覆い、かつ、前傾させた時に、前記表板に対して略垂直状態で保持されるテーブルを、前記開口部内に位置する前記筐体内に設けたことを特徴とする。
【０００６】
また、前記操作入力器を、該操作入力器の一部が、前記テーブルが前記表板に対して略垂直状態であるときに前記テーブルから臨むように、前記収容部に傾斜状態で収納したことを特徴とする。
【発明の効果】
【０００７】
この発明は、操作入力器を収容する収容部と、該収容部の前面開口部を開閉自在に覆い、かつ、前傾させた時に、表板に対して略垂直状態で保持されるテーブルを、筐体内に設けたので、操作入力器の未使用時において、収容部の前面開口部はテーブルにより覆われるので美観的に優れ、かつ、使用時において、監視員は、略垂直状態に保持されたテーブルに操作入力器を載置することができ、操作入力器による各種操作がしやすい。
【０００８】
またこの発明は、操作入力器としてのキーボードを、収容部に傾斜状態で収納するので、筐体奥行き方向の収容部スペースを小さくすることができ、奥行き方向の筐体サイズを小さくすることができる。また、テーブルが表板に対して略垂直状態であるときに、キーボードの上部がテーブルから臨むようになっているので、監視員は、テーブルを開けるとキーボードの位置をはっきりと確認できるので、キーボードをテーブル上に移動載置するなどの動作をスムーズに行うことができる。
【発明を実施するための最良の形態】
【０００９】
図１および図２は、本発明の一実施例である防災監視盤１の正面図および右側面図であり、図３は、テーブル１２を取り外した状態の化粧枠８の概略正面図であり、図４は、テーブル１２を取り付けた状態の化粧枠８の概略側面図であり、図５および図６は、ＬＣＤ表示器９の画面例を示す図である。
【００１０】
防災監視盤１は、その筐体を、前面を開口した箱状の本体２と、該本体２の前面を開閉自在に覆う、例えば横開きの開閉扉３（表板）により構成しており、この筐体の底部には架台４が設けられている。
【００１１】
開閉扉３には、開口部５が設けられている。開閉扉３の背面側には、この開口部５を内側から塞ぐように、第１化粧枠６、第２化粧枠７、第３化粧枠８が固定されている。この各化粧枠６、７、８には、表示器としてのＬＣＤ表示器９、システム状態表示操作部１０、取っ手１１が設けられたテーブル１２がそれぞれ固定されており、開口部５を介して外部から視認可能となっている。
【００１２】
ＬＣＤ表示器９は、防災監視盤１に接続された火災受信機（図示略）から送出される火災信号等の防災情報を受けて火災発生階の図面画像等を表示する。システム状態表示操作部１０は、詳細に表さないが、防災監視盤１の運転時、停電時、異常時に点灯する運転灯、停電灯、異常灯、及び、火災音響等を停止する音響停止スイッチが配置されている。
【００１３】
図３、図４に示すように、化粧枠８は、中央に開口１３（前面開口部）が設けられた略枠状に形成された枠板であり、開口１３の開口端から筐体背面方向に形成された箱状の収容部１５が溶着等により接合されている。
【００１４】
収容部１５の両側面下部において、テーブル１２がその両側面下部を回転軸１６によって軸支され、化粧枠８（収容部１５）の開口１３を起伏自在に覆うようにされている。また、収容部１５の上面には、閉状態のテーブル１２（図４に２点鎖線で示す）の裏面上部に対応して、マグネットキャッチ１７が固定されている。さらに、収容部１５の両側面下部内側には、開状態のテーブル１２（図４に点線で示す）が化粧枠８に対して略垂直状態で保持されるように、テーブル１２の裏面下端部が当接する位置に対応して、ストッパ１８が固定されている。なお、化粧枠８は、開閉扉３と水平位置関係にある。
【００１５】
これにより、テーブル１２は、通常時は、マグネットキャッチ１７により閉状態に維持されて開口１３を覆い、また、監視員による取っ手１１の操作により、テーブル１２が前傾して開放され、テーブル１２の裏面下端部がストッパ１８に当接して、開閉扉３に対して略垂直状態で保持されることが可能となっている。そのため、テーブル１２の裏面は、操作入力器（後述する）を載置するテーブルとして機能するようになる。
【００１６】
また、収容部１５の内部には、キーボード規制金具１９及びマウス収納具２１が設けられ、操作入力器としてのキーボード２０及びマウス２２が収容されている。これらのキーボード２０及びマウス２２は、監視員が、ＬＣＤ表示器９に表示される表示内容に対して所定の操作入力を行うものであり、マウス２２は、収容部１５の背面略中央に設けられた箱状のマウス収納具２１の内部に収納される。
【００１７】
キーボード規制金具１９は、収容部１５の底面に固定され、かつ、ストッパ１８の背面に近接して、ストッパ１８の取付高さに到る。そして、キーボード２０は、収容部１５に傾斜状態で収納されている。すなわち、キーボード規制金具１９の上部と収容部１５の底面及び背面に当接した傾斜状態で載置されている。つまり、キーボード規制金具１９は、テーブル１２の前傾動作に支障がない位置で、できる限り筐体前面方向に設けられている。そして、キーボード２０を傾斜状態で収納することによって、収容部１５の奥行き寸法を小さくすることができ、筐体の奥行き寸法を小さくすることができる。また、キーボード２０の一部（上部）が、テーブル１２が開放状態のときにテーブル１２から臨むように設定されている。そのため、監視員は、テーブル１２を開けるとキーボード２０の位置をはっきりと確認できるので、キーボード２０をテーブル１２上に移動載置するなどの動作をスムーズに行うことができる。
【００１８】
さらに、テーブル１２の軸支位置が、テーブル１２を開放したときに、テーブル１２全体が筐体前面から突出せず、一部（下部）が収容部１５内に位置するように設定されている。具体的には、キーボード２０及びマウス２２が載置可能で、かつ、適度な操作スペースが得られるように突出寸法が設定されている（図４参照）。そのため、操作入力器の使用時に必要とされるテーブル１２の突出部を抑制することができる。
【００１９】
また、収容部１５の両側面で、テーブル１２の軸支される位置、ストッパ１８の位置を規定しているので、これら位置が別部材で規定されている場合と比べて、組立誤差なく、テーブル１２を前傾させた時に、テーブル１２が開閉扉３に対して良好に略垂直状態に保持されるようにすることができる。
【００２０】
このような防災監視盤１は、常時、収容部１５が、テーブル１２により覆われており、美観的に優れ、内部への塵埃の侵入が防止されている。また、ＬＣＤ表示器９の画面には、例えば、図５に示すように、火災感知器等の端末機器をシンボル配置した所定の監視階の平面図画像が表示され、また、操作入力器による各種入力操作が行えるメニューバー等が表示されている。
【００２１】
そして、火災受信機（図示略）から送出される火災信号等の防災情報を受けると、ＬＣＤ表示器９に火災発生階の平面図面画像を表示して、図５に示すように、火災を検出した火災感知器５１ａ、５１ｂのシンボル及びこの火災感知器５１ａ、５１ｂが配置された警戒区域の炎シンボル５２ａ、５２ｂの表示を変化させる。
【００２２】
監視員がこれを確認して、例えば、操作入力器により火災発生階の排煙機の運転制御を行いたい場合には、監視員は、取っ手１１を前方に引っ張る。すると、テーブル１２とマグネットキャッチ１７との係合が解除され、テーブル１２が前傾動作し、テーブル１２の裏面下端部がストッパ１８に当接して、前傾動作が停止し、テーブル１２は、開閉扉３に対して略垂直状態で保持される。そして、テーブル１２から臨んだキーボード２０及びマウス２２を確認し、収容部１５から取り出してテーブル１２の裏面上に載置する。そして、ＬＣＤ表示器９を見ながら、マウス２２操作によって、メニューバー表示エリアの「排煙機制御」スイッチ上にポインタを移動操作して、ダブルクリックする。すると、図６に示すように、排煙機制御画像が表示されるので、起動させたい排煙機の「起動」スイッチ上にポインタを移動操作して、ダブルクリックする。これにより、防災監視盤１から火災受信機（図示略）を介して該当排煙機に制御信号が送出されて起動する。
【００２３】
この発明を利用する実施形態の防災監視盤１は、火災発生階の図面画像を表示するＬＣＤ表示器９が筐体内に設けられ、該筐体の開閉扉３に設けられた開口部５を介してＬＣＤ表示器９が外部に露出する防災監視盤１であって、ＬＣＤ表示器９に表示される表示内容に対して所定の操作入力を行うキーボード２０またはマウス２２を収容する収容部１５と、該収容部１５の開口１３を開閉自在に覆い、かつ、前傾させた時に、開閉扉３に対して略垂直状態で保持されるテーブル１２を、開口部５内に位置する筐体内に設けた。
【００２４】
これにより、キーボード２０またはマウス２２の未使用時において、収容部１５の開口１３はテーブル１２により覆われるので美観的に優れ、かつ、使用時において、監視員は、略垂直状態に保持されたテーブル１２にキーボード２０またはマウス２２を載置することができ、キーボード２０またはマウス２２による各種操作がしやすい。
【００２５】
またこの防災監視盤１は、収容部１５の両側面に、回転軸１６によってテーブル１２を軸支するとともに、テーブル１２を前傾させた時に、テーブル１２の下端部が当接して、テーブル１２を開閉扉３に対して略垂直状態に保持するストッパ１８を設けた。
【００２６】
これにより、収容部１５の両側面で、テーブル１２の軸支される位置、ストッパ１８位置を規定しているので、これら位置が別部材で規定されている場合と比べて、組立誤差なく、テーブル１２を前傾させた時に、テーブル１２が開閉扉３に対して良好に略垂直状態に保持されるようにすることができる。
【００２７】
またこの防災監視盤１は、収容部１５の底面に、ストッパ１８の取付高さに到るキーボード規制金具１９を、ストッパ１８の背面に近接して設け、キーボード２０を、該キーボード２０の一部が、テーブル１２が開閉扉３に対して略垂直状態であるときにテーブル１２から臨むように、収容部１５に傾斜状態で収納した。
【００２８】
これにより、キーボード規制金具１９はストッパ１８の背面に近接しているので、テーブル１２の前傾動作に支障がない位置で、できる限り筐体前面方向に設けられている。そして、キーボード２０を、キーボード規制金具１９の上部と収容部１５の底面及び背面に当接した傾斜状態で収納するので、収容部１５の奥行き寸法を小さくすることができ、筐体の奥行き寸法を小さくすることができる。また、テーブル１２が開閉扉３に対して略垂直状態であるときに、キーボード２０の上部がテーブル１２から臨むようになっているので、監視員は、テーブル１２を開けるとキーボード２０の位置をはっきりと確認できるので、キーボード２０をテーブル１２上に移動載置するなどの動作をスムーズに行うことができる。
【図面の簡単な説明】
【００２９】
【図１】本発明の一実施例である防災監視盤１の正面図である。
【図２】上記実施例における防災監視盤１の右側面図である。
【図３】上記実施例におけるテーブル１２を取り外した状態の化粧枠８の概略正面図である。
【図４】上記実施例におけるテーブル１２を取り付けた状態の化粧枠８の概略側面図である。
【図５】上記実施例におけるＬＣＤ表示器９の画面例を示す図である。
【図６】上記実施例におけるＬＣＤ表示器９の画面例を示す図である。
【符号の説明】
【００３０】
１…防災監視盤
２…本体
３…開閉扉（表板）
５…開口部
８…第３化粧枠
９…ＬＣＤ表示器（表示器）
１２…テーブル
１３…開口（前面開口部）
１５…収容部
１８…ストッパ
１９…キーボード規制金具
２０…キーボード（操作入力器）
２２…マウス（操作入力器）
【図１】
2006053660.tif 000003
【図２】
2006053660.tif 000004
【図３】
2006053660.tif 000005
【図４】
2006053660.tif 000006
【図５】
2006053660.tif 000007
【図６】
2006053660.tif 000008